(57)【特許請求の範囲】
【請求項１】
同報通信を用いて移動端末に対して緊急情報を配信する緊急情報配信方法であって、
前記移動端末の同報通信機能を活性化するためのページング信号によって、該移動端末に対して、受信すべき緊急情報が生成されていることを通知する工程と、
前記移動端末が、前記ページング信号による通知に応じて、ユーザに対して前記緊急情報が生成されていることを通知する工程と、
前記移動端末に対して、同報通信用メッセージとして前記緊急情報の詳細情報を送信する工程と、
前記移動端末が、前記ページング信号によって前記同報通信機能が活性化された後に、前記同報通信用メッセージとして受信した前記緊急情報の詳細情報を表示する工程とを有し、
前記ページング信号は、前記移動端末の動作を特定するための端末動作識別子を含んでおり、
前記移動端末は、受信した前記ページング信号に含まれている前記端末動作識別子によって特定される動作を行うことによって、前記ユーザに対する通知を行い、
前記移動端末は、受信すべき同報通信用メッセージを識別するためのメッセージ識別子を管理しており、
前記移動端末は、前記受信すべき同報通信用メッセージとして管理されているメッセージ識別子を含まない同報通信用メッセージであっても、前記緊急情報の詳細情報であることを識別する緊急情報識別子を含む同報通信用メッセージについては受信することを特徴とする緊急情報配信方法。
【請求項２】
前記特定される動作とは、前記端末動作識別子と対応付けられた所定のブザー音の鳴動または画面ポップアップの表示であることを特徴とする請求項１に記載の緊急情報配信方法。
【請求項３】
前記ページング信号は、前記緊急情報の種別を含んでおり、
前記移動端末は、受信した前記ページング信号に含まれている前記緊急情報の種別に対応する表示を行うことによって、前記ユーザに対する通知を行うことを特徴とする請求項１に記載の緊急情報配信方法。
【請求項４】
前記ページング信号は、前記緊急情報の概要を含んでおり、
前記移動端末は、受信した前記ページング信号に含まれている前記緊急情報の概要を表示することによって、前記ユーザに対する通知を行うことを特徴とする請求項１に記載の緊急情報配信方法。
【請求項５】
同報通信を用いて緊急情報を受信するように構成されている移動端末であって、
前記移動端末の同報通信機能を活性化するためのページング信号によって受信すべき緊急情報が生成されていることを通知された場合に、ユーザに対して前記緊急情報が生成されていることを通知するように構成されており、
前記ページング信号によって前記同報通信機能が活性化された後に、同報通信用メッセージとして受信した前記緊急情報の詳細情報を表示するように構成されており、
前記ページング信号は、前記移動端末の動作を特定するための端末動作識別子を含んでおり、
受信した前記ページング信号に含まれている端末動作識別子によって特定される動作を行うことによって、前記ユーザに対する通知を行うように構成され、
受信すべき同報通信用メッセージを識別するためのメッセージ識別子を管理するように構成されており、
前記受信すべき同報通信用メッセージとして管理されているメッセージ識別子を含まない同報通信用メッセージであっても、前記緊急情報の詳細情報であることを識別する緊急情報識別子を含む同報通信用メッセージについては受信するように構成されていることを特徴とする移動端末。
【請求項６】
前記特定される動作とは、前記端末動作識別子と対応付けられた所定のブザー音の鳴動または画面ポップアップの表示であることを特徴とする請求項５に記載の移動端末。
【請求項７】
受信した前記ページング信号に含まれている前記緊急情報の種別に対応する表示を行うことによって、前記ユーザに対する通知を行うように構成されていることを特徴とする請求項６に記載の移動端末。
【請求項８】
受信した前記ページング信号に含まれている前記緊急情報の概要を表示することによって、前記ユーザに対する通知を行うように構成されていることを特徴とする請求項６に記載の移動端末。
【発明の詳細な説明】
【技術分野】
【０００１】
本発明は、同報通信を用いて移動端末に対して緊急情報を配信する緊急情報配信方法、無線制御装置、無線基地局及び移動端末に関する。
【背景技術】
【０００２】
気象庁は、平成１９年１０月１日から、一般向け（テレビ・ラジオや、防災行政無線や、集客施設における館内放送等）への緊急地震速報（緊急情報）の配信を開始する予定であり、移動端末に対する緊急地震速報（緊急情報）の配信についても期待されている。
【０００３】
また、各自治体からも、災害等の緊急時における大多数のユーザに対する緊急情報の配信の要望があり、大多数のユーザに対して、テロや警報や大規模事故等の緊急情報を即時に配信することが求められている。
【０００４】
しかし、現状の移動通信システム（メール配信システム等）では、大多数の移動端末に対して、即時に緊急情報を配信することは、無線リソース面から不可能であり、これらの要求条件を満たすためには同報システムが必要となる。
【０００５】
かかる同報システムを実現するために、３ＧＰＰで標準規定されている方式として、ＣＢＳ（Ｃｅｌｌ  Ｂｒｏａｄｃａｓｔ  Ｓｅｒｖｉｃｅ）や、ＭＢＭＳ（Ｍｕｔｉｍｅｄｉａ  Ｂｒｏａｄｃａｓｔ  Ｍｕｌｔｉｃａｓｔ  Ｓｅｒｖｉｃｅ）が知られている。
【特許文献１】特開２００７-２０２０１１号公報
【発明の開示】
【発明が解決しようとする課題】
【０００６】
しかしながら、既存の同報システムの基盤を用いて大多数の移動端末に対して緊急情報の配信するためには、およそ１０秒程度の時間を要してしまう。
【０００７】
これは、移動端末が、同報通信機能（例えば、ＣＢＳ受信機能）を常に活性化した状態でいると、バッテリーの持続時間に大きく影響を及ぼすため、ネットワークは、移動端末の同報通信機能を活性化させた後に、同報通信用メッセージとして緊急情報を配信するためである。
【０００８】
緊急地震速報等の人命に関わる緊急情報の配信に要する時間を極力短くすることは、人命救助につながる可能性が大きいため、社会的にも強く求められており、配信に要する時間を数秒単位に短縮することが課題である。
【０００９】
また、自国以外の国におけるローミングインユーザに対しても、緊急情報を配信することが求められている。
【００１０】
移動端末は、自身が保持する「受信ＩＤリスト（受信すべき同報通信用メッセージを識別するメッセージ識別子のリスト）」に含まれているメッセージ識別子を含む同報通信用メッセージのみを受信するように構成されており、自国以外の国において、緊急情報を通知する同報通信用メッセージを受信するためには、緊急情報を通知する同報通信用メッセージを識別するメッセージ識別子（緊急情報用メッセージ識別子）を、全世界で共通に定義しておく必要がある。
【００１１】
しかしながら、日本を始めとする各国では、既に、通信キャリア毎に、緊急情報用メッセージ識別子を定義し、メモリに当該緊急情報用メッセージ識別子が書き込まれた移動端末が出回っており、全世界で共通な緊急情報用メッセージ識別子が「受信ＩＤリスト」に設定されている移動端末と、通信キャリア独自の緊急情報用メッセージ識別子が「受信ＩＤリスト」に設定されている移動端末とが混在した状態となってしまう。
【００１２】
このような状況では、同報通信用メッセージとして緊急情報を配信するネットワークでは、全世界で共通な緊急情報用メッセージ識別子を含む同報通信用メッセージ及び通信キャリア毎に独自に付与された緊急情報用メッセージ識別子を含む同報通信用メッセージを送信する必要があり、各緊急情報用メッセージ識別子を含む同報通信用メッセージを受信する移動端末間での受信遅延の問題が発生する。
【００１３】
そこで、受信可否を判断する緊急情報用メッセージ識別子として、キャリア独自の緊急情報用メッセージ識別子及び全世界で共通な緊急情報用メッセージ識別子を用いている移動端末が混在する状況で、各緊急情報用メッセージ識別子間での移動端末における受信遅延を発生させず、通信キャリア独自の緊急情報用メッセージ識別子にも同報通信用メッセージとして緊急情報を配信しつつ、全世界で共通な緊急情報用メッセージ識別子へ統一させていくマイグレーション方法が課題となる。
【００１４】
そこで、本発明は、上述の課題に鑑みてなされたものであり、既存の同報システムでよりも早く、緊急情報の存在を各ユーザに対して通知することができる緊急情報配信方法、無線制御装置、無線基地局及び移動端末を提供することを目的とする。
【００１５】
また、本発明は、通信キャリア独自の緊急情報用メッセージ識別子が設定されている移動端末と全世界で共通な緊急通信用メッセージ識別子が設定されている移動端末とが混在している状況であっても、両移動端末における受信遅延が発生することなく効率的な緊急情報を配信することができる緊急情報配信方法、無線制御装置、無線基地局及び移動端末を提供することを目的とする。
【課題を解決するための手段】
【００１６】
本発明の第１の特徴は、同報通信を用いて移動端末に対して緊急情報を配信する緊急情報配信方法であって、前記移動端末の同報通信機能を活性化するためのページング信号によって、該移動端末に対して、受信すべき緊急情報が生成されていることを通知する工程と、前記移動端末が、前記ページング信号による通知に応じて、ユーザに対して前記緊急情報が生成されていることを通知する工程と、前記移動端末に対して、同報通信用メッセージとして前記緊急情報の詳細情報を送信する工程と、前記移動端末が、前記ページング信号によって前記同報通信機能が活性化された後に、前記同報通信用メッセージとして受信した前記緊急情報の詳細情報を表示する工程とを有することを要旨とする。
【００１７】
本発明の第１の特徴において、前記ページング信号は、前記緊急情報の種別を含んでおり、前記移動端末は、受信した前記ページング信号に含まれている前記緊急情報の種別に対応する表示を行うことによって、前記ユーザに対する通知を行ってもよい。
【００１８】
本発明の第１の特徴において、前記ページング信号は、前記緊急情報の概要を含んでおり、前記移動端末は、受信した前記ページング信号に含まれている前記緊急情報の概要を表示することによって、前記ユーザに対する通知を行ってもよい。
【００１９】
本発明の第１の特徴において、前記ページング信号は、前記移動端末の動作を特定するための端末動作識別子を含んでおり、前記移動端末は、受信した前記ページング信号に含まれている前記端末動作識別子によって特定される動作を行うことによって、前記ユーザに対する通知を行ってもよい。
【００２０】
本発明の第１の特徴において、前記移動端末は、受信すべき同報通信用メッセージを管理しており、前記移動端末は、前記受信すべき同報通信用メッセージとして管理されていない同報通信用メッセージであっても、前記緊急情報の詳細情報であることを識別する緊急情報識別子を含む同報通信用メッセージについては受信してもよい。
【００２１】
本発明の第２の特徴は、同報通信を用いて移動端末に対して緊急情報を配信するように構成されている無線制御装置であって、前記移動端末の同報通信機能を活性化するためのページング信号によって、該移動端末に対して、受信すべき緊急情報が生成されていることを通知するように構成されており、前記移動端末に対して、前記ページング信号を送信した後に、同報通信用メッセージとして前記緊急情報の詳細情報を送信するように構成されていることを要旨とする。
【００２２】
本発明の第３の特徴は、同報通信を用いて移動端末に対して緊急情報を配信するように構成されている無線基地局であって、前記移動端末の同報通信機能を活性化するためのページング信号によって、該移動端末に対して、受信すべき緊急情報が生成されていることを通知するように構成されており、前記移動端末に対して、前記ページング信号を送信した後に、同報通信用メッセージとして前記緊急情報の詳細情報を送信するように構成されていることを要旨とする。
【００２３】
本発明の第４の特徴は、同報通信を用いて緊急情報を受信するように構成されている移動端末であって、前記移動端末の同報通信機能を活性化するためのページング信号によって受信すべき緊急情報が生成されていることを通知された場合に、ユーザに対して前記緊急情報が生成されていることを通知するように構成されており、前記ページング信号によって前記同報通信機能が活性化された後に、同報通信用メッセージとして受信した前記緊急情報の詳細情報を表示するように構成されていることを要旨とする。
【００２４】
本発明の第４の特徴において、受信した前記ページング信号に含まれている前記緊急情報の種別に対応する表示を行うことによって、前記ユーザに対する通知を行うように構成されていてもよい。
【００２５】
本発明の第４の特徴において、受信した前記ページング信号に含まれている前記緊急情報の概要を表示することによって、前記ユーザに対する通知を行うように構成されていてもよい。
【００２６】
本発明の第４の特徴において、前記ページング信号は、前記移動端末の動作を特定するための端末動作識別子を含んでおり、受信した前記ページング信号に含まれている端末動作識別子によって特定される動作を行うことによって、前記ユーザに対する通知を行うように構成されていてもよい。
【００２７】
本発明の第４の特徴において、受信すべき同報通信用メッセージを管理するように構成されており、前記受信すべき同報通信用メッセージとして管理されていない同報通信用メッセージであっても、前記緊急情報の詳細情報であることを識別する緊急情報識別子を含む同報通信用メッセージについては受信するように構成されていてもよい。
【発明の効果】
【００２８】
以上説明したように、本発明によれば、既存の同報システムでよりも早く、緊急情報の存在を各ユーザに対して通知することができる緊急情報配信方法、無線制御装置、無線基地局及び移動端末を提供することができる。
【００２９】
また、本発明によれば、通信キャリア独自の緊急情報用メッセージ識別子が設定されている移動端末と全世界で共通な緊急通信用メッセージ識別子が設定されている移動端末とが混在している状況であっても、両移動端末における受信遅延が発生することなく効率的な緊急情報を配信することができる緊急情報配信方法、無線制御装置、無線基地局及び移動端末を提供することができる。
【発明を実施するための最良の形態】
【００３０】
（本発明の第１の実施形態に係る緊急情報配信システムの構成）
図１及び図２を参照して、本発明の第１の実施形態に係る緊急情報配信システムの構成について説明する。
【００３１】
まず、図１を参照して、従来の緊急情報配信方式と、本実施形態に係る緊急情報配信システムを用いた緊急情報配信方式との相違点について説明する。
【００３２】
図１（ａ）に示すように、従来の緊急情報配信方式では、移動端末は、同報通信用メッセージとして送信された緊急情報（詳細情報）を受信するまでは、ユーザに対して、緊急事態が発生していることを通知することができなかった。
【００３３】
これに対して、図１（ｂ）に示すように、本実施形態に係る緊急情報配信方式では、移動端末は、「緊急情報の種別」や「緊急情報の概要」を含むページング信号を受信した際に、ユーザに対して、緊急事態が発生していることや緊急事態の種別や緊急事態の概要等を通知することができ、その後、緊急情報の詳細情報を受信した際に、ユーザに対して緊急事態の詳細を通知することができる。
【００３４】
図２に示すように、本実施形態に係る緊急情報配信システムは、緊急情報配信装置１と、コアネットワーク装置２と、無線制御装置（或いは、無線基地局）３と、移動端末４とを具備している。
【００３５】
緊急情報配信装置１は、生成部１１と、配信部１２とを具備している。
【００３６】
生成部１１は、緊急事態が発生した場合に緊急情報を生成するように構成されており、配信部１２は、生成部１１によって生成された緊急情報をコアネットワーク装置２に配信するように構成されている。
【００３７】
コアネットワーク装置２は、受信部２１と、生成部２２と、配信部２３とを具備している。
【００３８】
受信部２１は、緊急情報配信装置１から送信された緊急情報を受信するように構成されている。
【００３９】
生成部２２は、受信部２１によって受信された緊急情報に基づいて、「緊急情報の種別」や、「緊急情報の概要」や、「緊急情報の詳細情報」や、移動端末４の動作を特定するための「端末動作識別子」を生成するように構成されている。
【００４０】
配信部２３は、生成部２２によって生成された「緊急情報の種別」や「緊急情報の概要」や「緊急情報の詳細情報」や「端末動作識別子」を、無線制御装置（或いは、無線基地局）３に配信するように構成されている。
【００４１】
また、配信部２３は、無線制御装置（或いは、無線基地局）３に対して、当該緊急情報の配信エリアを指示するように構成されていてもよい。
【００４２】
無線制御装置（或いは、無線基地局）３は、受信部３１と、配信部３２とを具備している。
【００４３】
受信部３１は、コアネットワーク装置２から送信された「緊急情報の種別」や「緊急情報の概要」や「緊急情報の詳細情報」や「端末動作識別子」を受信するように構成されている。
【００４４】
配信部３２は、移動端末４の同報通信機能を活性化するためのページング信号によって、移動端末４に対して、受信すべき緊急情報が生成されていること（すなわち、緊急事態が発生していること）を通知するように構成されている。
【００４５】
具体的には、配信部３２は、上述の「緊急情報の配信エリア」内に属する移動端末４に対して、上述の「緊急情報の種別」や「緊急情報の概要」や「端末動作識別子」や等を含むページング信号を送信するように構成されている。
【００４６】
また、配信部３２は、上述のページング信号に、緊急情報の詳細情報であることを識別する「緊急情報識別子」を含めるように構成されている。
【００４７】
また、配信部３２は、移動端末４に対して、ページング信号を送信した後（移動端末４の同報通信機能が活性化された後）に、同報通信用メッセージとして「緊急情報の詳細情報」を送信するように構成されている。
【００４８】
移動端末４は、受信部４１と、緊急情報通知部４２と、詳細情報表示部４３とを具備している。
【００４９】
受信部４１は、無線制御装置（或いは、無線基地局）３から送信されたページング信号を受信し、かかるページング信号の受信と契機として同報通信機能を活性化するように構成されている。
【００５０】
また、受信部４１は、同報通信機能を活性化した後に、無線制御装置（或いは、無線基地局）３から送信された同報通信用メッセージとしての緊急情報の詳細情報を受信するように構成されている。
【００５１】
さらに、受信部４１は、受信すべき同報通信用メッセージを管理するように構成されている。
【００５２】
具体的には、受信部４１は、受信ＩＤリストによって、受信すべき同報通信用メッセージを識別するためのメッセージ識別子を管理するように構成されている。
【００５３】
そして、受信部４１は、基本的には、受信すべき同報通信用メッセージとして管理されている同報通信用メッセージ、すなわち、受信ＩＤリストによって管理されているメッセージ識別子を含む同報通信用メッセージのみを受信するように構成されている。
【００５４】
しかしながら、受信部４１は、受信すべき同報通信用メッセージとして管理されていない同報通信用メッセージであっても、すなわち、受信ＩＤリストによって管理されているメッセージ識別子を含まない同報通信用メッセージであっても、「緊急情報識別子」を含む同報通信用メッセージについては受信するように構成されている。
【００５５】
また、受信部４１は、同様に、「緊急情報識別子」を含むページング信号については必ず受信するように構成されている。
【００５６】
緊急情報通知部４２は、受信部４１によって受信されたページング信号によって「受信すべき緊急情報が生成されていること（すなわち、緊急事態が発生していること）」を通知された場合に、その旨をユーザに対して通知するように構成されている。
【００５７】
具体的には、緊急情報通知部４２は、受信部４１により受信されたページング信号に含まれている「緊急情報の種別」に対応する表示（予め決められている文字や画像や映像の表示）を行うことによって、上述のユーザに対する通知を行うように構成されていてもよい。
【００５８】
例えば、移動端末４が、ローミング中である場合、緊急情報通知部４２は、「緊急情報の種別」に対応する表示を、ローミング先の国の言語で行ってもよい。
【００５９】
また、緊急情報通知部４２は、受信部４１により受信されたページング信号に含まれている「緊急情報の概要」を表示することによって、上述のユーザに対する通知を行うように構成されていてもよい。
【００６０】
また、緊急情報通知部４２は、受信部４１により受信されたページング信号に含まれている「端末動作識別子」によって特定される動作を行うことによって、上述のユーザに対する通知を行うように構成されていてもよい。
【００６１】
例えば、「端末動作識別子」によって特定される動作としては、所定のブザー音の鳴動や画面ポップアップの表示等といった任意の動作が想定される。  詳細情報表示部４３は、受信部４１により受信されたページング信号によって同報通信機能が活性化された後に、同報通信用メッセージとして受信した「緊急情報の詳細情報」を表示するように構成されている。
【００６２】
（本発明の第１の実施形態に係る移動通信システムの動作）
図３及び図４を参照して、本発明の第１の実施形態に係る緊急情報配信システムの動作について説明する。
【００６３】
第１に、図３を参照して、ＣＢＳ方式を用いて緊急情報（緊急地震速報）を配信する場合の動作について説明する。
【００６４】
図３に示すように、ステップＳ１００１において、緊急情報配信装置ＣＢＥ（Ｃｅｌｌ  Ｂｒｏａｄｃａｓｔ  Ｅｎｔｉｔｙ）が、コアネットワーク装置ＣＢＣ（Ｃｅｌｌ  Ｂｒｏａｄｃａｓｔ  Ｃｅｎｔｅｒ）に対して、「緊急情報の配信エリア」や「緊急情報の種別（例えば、災害の種類）」や「緊急情報の概要」や「端末動作識別子」といった緊急情報の配信に必要な情報を配信する。
【００６５】
ここで、「緊急情報の種別」として「緊急地震速報」しか存在しない場合、コアネットワーク装置ＣＢＣが「緊急情報の種別」を理解することができるので、「緊急情報の種別」の配信について省略することができる。
【００６６】
また、コアネットワーク装置ＣＢＣにおいて「緊急情報の概要」を生成する場合は、「緊急情報の概要」の配信について省略することができる。
【００６７】
ステップＳ１００２において、コアネットワーク装置ＣＢＣが、緊急情報配信装置ＣＢＥから受信した情報に基づいて、「緊急情報の配信エリア」に対応する無線制御装置ＲＮＣ（或いは、無線基地局）に対して、通常のＣＢＳ用パラメータに加えて、「緊急情報識別子」や「緊急情報の種別」や「緊急情報の概要」や「緊急情報の詳細情報」や「端末動作識別子」や「緊急情報の配信エリア」を送信する。
【００６８】
具体的には、コアネットワーク装置ＣＢＣは、ＴＳ２５.４１９（ＳＡＢＰ）に規定されている「Ｗｒｉｔｅ-Ｒｅｐｌａｃｅ」のパラメータに、「緊急情報識別子」や「緊急情報の種別」や「緊急情報の概要」や「緊急情報の詳細情報」や「端末動作識別子」や「緊急情報の配信エリア」についての情報要素を追加して送信する。
【００６９】
ステップＳ１００３において、無線制御装置ＲＮＣ（或いは、無線基地局）は、コアネットワーク装置ＣＢＣから受信した「Ｗｒｉｔｅ-Ｒｅｐｌａｃｅ」のパラメータに「緊急情報識別子」が設定されている場合、「緊急情報の配信エリア」に属する移動端末ＵＥに対して、ＣＢＳ用ページング信号（ＲＲＣ：３ＧＰＰ  ＴＳ２５.３３１に規定）に、「緊急情報の種別」や「緊急情報の概要」や「端末動作識別子」を含めて通知する。
【００７０】
ステップＳ１００４において、ＣＢＳ用ページング信号を受信した移動端末ＵＥは、「緊急情報の種別（緊急地震速報）」と「緊急情報の概要」とを連動させて、簡易的に、地震が起きたこと及びその概要をユーザに対して通知する。
【００７１】
更に、移動端末ＵＥは、上述の通知を行う際に、「端末動作識別子」によって特定された動作を行う（例えば、ブザー音鳴動）。
【００７２】
ここで、移動端末ＵＥにおいて、「緊急情報の概要」用パラメータ、及び、移動端末UEによって作成される規定のフォーマットに「緊急情報の概要」で通知された「緊急情報の概要」用パラメータを挿入する部分を、事前に決めておくことで、送信すべき「緊急情報の概要」の情報量を最小化することが可能である。
【００７３】
ステップＳ１００５において、無線制御装置ＲＮＣ（或いは、無線基地局）は、移動端末ＵＥに対して、同報通信用メッセージ（ＢＭＣ  ＣＢＳメッセージ）として、緊急情報の詳細情報を配信する。
【００７４】
ステップＳ１００６において、緊急情報の詳細情報を受信した移動端末ＵＥは、シリアル番号等で指定された方法に基づいて、ブザー音の鳴動や画面ポップアップの表示等と共に、緊急情報の詳細情報を表示する。
【００７５】
ステップＳ１００７において、無線制御装置ＲＮＣ（或いは、無線基地局）が、コアネットワーク装置ＣＢＣに対して「Ｒｅｐｏｒｔ-Ｓｕｃｃｅｓｓ」を送信し、ステップＳ１００８において、コアネットワーク装置ＣＢＣが、緊急情報配信装置ＣＢＥに対して「Ｒｅｐｏｒｔ-Ｓｕｃｃｅｓｓ」を送信する。
【００７６】
第２に、図４を参照して、ＭＢＭＳ方式を用いて緊急情報（緊急地震速報）を配信する場合の動作について説明する。
【００７７】
図４に示すように、ステップＳ２００１において、緊急情報配信装置が、コアネットワーク装置ＢＭ-ＳＣ（Ｂｒｏａｄｃａｓｔ  Ｍｕｌｔｉｃａｓｔ  Ｓｅｒｖｉｃｅ  Ｃｅｎｔｅｒ）に対して、「緊急情報の配信エリア」や「緊急情報の種別（例えば、災害の種類）」や「緊急情報の概要」や「端末動作識別子」といった緊急情報の配信に必要な情報を配信する。
【００７８】
ここで、「緊急情報の種別」として「緊急地震速報」しか存在しない場合、コアネットワーク装置ＢＭ-ＳＣが「緊急情報の種別」を理解することができるので、「緊急情報の種別」の配信について省略することができる。
【００７９】
また、コアネットワーク装置ＢＭ-ＳＣにおいて「緊急情報の概要」を生成する場合は、「緊急情報の概要」の配信について省略することができる。
【００８０】
ステップＳ２００２において、コアネットワーク装置ＢＭ-ＳＣが、緊急情報配信装置から受信した情報に基づいて、交換装置ＧＧＳＮ（Ｇａｔｅｗａｙ  ＧＰＲＳ  Ｓｕｐｐｏｒｔ  Ｎｏｄｅ）/ＳＧＳＮ（Ｓｅｒｖｉｎｇ  ＧＰＲＳ  Ｓｕｐｐｏｒｔ  Ｎｏｄｅ）を経由して、「緊急情報の配信エリア」に対応する無線制御装置ＲＮＣ（或いは、無線基地局）に対して、通常のＭＢＭＳ用パラメータに加えて、「緊急情報識別子」や「緊急情報の種別」や「緊急情報の概要」や「緊急情報の詳細情報」や「端末動作識別子」や「緊急情報の配信エリア」を送信する。
【００８１】
具体的には、コアネットワーク装置ＢＭ-ＳＣは、ＴＳ２９.０６１（ＰＤＮ）に規定されている「Ｓｅｓｓｉｏｎ  Ｓｔａｒｔ  Ｒｅｑｕｅｓｔ（ＲＡＲ（ＳＴＡＲＴ））」のパラメータに、「緊急情報識別子」や「緊急情報の種別」や「緊急情報の概要」や「緊急情報の詳細情報」や「端末動作識別子」や「緊急情報の配信エリア」についての情報要素を追加して送信する（ＰＤＮ/ＧＴＰ/ＲＡＮＡＰ）。
【００８２】
ステップＳ２００３において、無線制御装置ＲＮＣ（或いは、無線基地局）が、コアネットワーク装置ＢＭ-ＳＣに対して、交換装置ＧＧＳＮ/ＳＧＳＮを経由して、「Ｓｅｓｓｉｏｎ  Ｓｔａｒｔ  Ｒｅｓｐｏｎｓｅ」を送信する。
【００８３】
ステップＳ２００４において、無線制御装置ＲＮＣ（或いは、無線基地局）は、コアネットワーク装置ＢＭ-ＳＣから受信した「Ｓｅｓｓｉｏｎ  Ｓｔａｒｔ  Ｒｅｑｕｅｓｔ（ＲＡＲ（ＳＴＡＲＴ））」のパラメータに「緊急情報識別子」が設定されている場合、「緊急情報の配信エリア」に属する移動端末ＵＥに対して、ＭＢＭＳ用ページング信号（ＲＲＣ）に、「緊急情報の種別」や「緊急情報の概要」や「端末動作識別子」を含めて通知する。
【００８４】
ステップＳ２００５において、ＭＢＭＳ用ページング信号を受信した移動端末ＵＥは、「緊急情報の種別（緊急地震速報）」と「緊急情報の概要」とを連動させて、簡易的に、地震が起きたこと及びその概要をユーザに対して通知する。
【００８５】
ステップＳ２００６において、無線制御装置ＲＮＣ（或いは、無線基地局）は、移動端末ＵＥとの間のＭＢＭＳセッションの確立後、当該移動端末ＵＥに対して、交換装置ＧＧＳＮ/ＳＧＳＮを経由して、同報通信用メッセージ（ＭＢＭＳメッセージ）として、緊急情報の詳細情報を配信する。
【００８６】
ステップＳ２００７において、緊急情報の詳細情報を受信した移動端末ＵＥは、シリアル番号等で指定された方法に基づいて、ブザー音の鳴動や画面ポップアップの表示等と共に、緊急情報の詳細情報を表示する。
【００８７】
（本発明の第１の実施形態に係る緊急情報配信システムの作用・効果）
本実施形態に係る緊急情報配信システムによれば、従来の基盤（ＣＢＳやＭＢＭＳ）を用いた同報システムにおいて、同報通信用メッセージ（緊急情報の詳細情報）を配信する前に、ページング信号によって緊急情報の概要を移動端末に通知することが可能となり、ユーザが一次行動を早く取ることを支援し、災害等の緊急事態による人命への影響を小さくすることが可能となる。
【００８８】
また、本実施形態に係る緊急情報配信システムによれば、ページング信号に端末動作識別子を含めることで、緊急情報の概要を受信した際の移動端末が行うべき動作も指定可能である。
【００８９】
また、本実施形態に係る緊急情報配信システムによれば、今後、緊急情報の配信への取り組みが国際的に実施され、国際的に緊急情報用メッセージ識別子が定義された場合、通信キャリアで独自に利用している緊急情報用メッセージ識別子を受信するように設定された移動端末と全世界で共通に利用される緊急情報用メッセージ識別子を受信するように設定された移動端末とが混在している状況であっても、既存の通信キャリアで独自に利用している緊急情報用メッセージ識別子を利用することにより、一回の送信で両移動端末において緊急情報を受信することができ、緊急情報用メッセージ識別子を通信キャリア独自の緊急情報用メッセージ識別子から全世界で共通な緊急情報用メッセージ識別子へとスムーズに移行させることが可能となる。
【００９０】
なお、上述の移動端末や無線基地局や無線制御装置の動作は、ハードウェアによって実施されてもよいし、プロセッサによって実行されるソフトウェアモジュールによって実施されてもよいし、両者の組み合わせによって実施されてもよい。
【００９１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ及び無線基地局ｅＮＢ内に設けられていてもよい。また、かかる記憶媒体及びプロセッサは、ディスクリートコンポーネントとして移動局ＵＥ及び無線基地局ｅＮＢ内に設けられていてもよい。
【００９３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００９４】
【図１】本発明の第１の実施形態に係る緊急情報配信方式と従来の緊急情報配信方式との相違点を説明するための図である。
【図２】本発明の第１の実施形態に係る緊急情報配信システムの機能ブロック図である。
【図３】本発明の第１の実施形態に係る緊急情報配信方法を示すシーケンス図である。
【図４】本発明の第１の実施形態に係る緊急情報配信方法を示すシーケンス図である。
【符号の説明】
【００９５】
１…緊急情報配信装置
２…コアネットワーク装置
３…無線制御装置
４…移動端末
１１、２２…生成部
１２、２３、３２…配信部
２１、３１、４１…受信部
４２…緊急情報通知部
４３…詳細情報表示部
【図１】
0005249552.tif 000002
【図２】
0005249552.tif 000003
【図３】
0005249552.tif 000004
【図４】
0005249552.tif 000005